【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
画素部と、前記画素部に信号を供給する機能を有する引き回し配線と、を有し、
前記画素部は、
半導体層と、
前記半導体層上のゲート絶縁膜と、
前記ゲート絶縁膜上のゲート電極と、
前記ゲート電極上の第１の絶縁膜と、
前記第１の絶縁膜上に設けられ、前記半導体層と電気的に接続された第１の導電層と、
前記第１の導電層と電気的に接続された発光素子と、
前記発光素子が有する第２の導電層の端部を覆う領域を有する第２の絶縁膜と、を有し、
前記第２の導電層は、前記第１の導電層と電気的に接続され、
前記発光素子は、前記第２の導電層上の発光層と、前記発光層上の第３の導電層と、を有し、
前記第３の導電層は、前記画素部の外側において、前記第２の絶縁膜の端部を覆う領域を有し、
前記第１の導電層と同一層上に設けられ、且つ同一材料を有する第４の導電層を有し、
前記画素部の外側であって、且つ前記第２の絶縁膜のない領域において、前記第３の導電層は、前記第４の導電層と重なる第１の領域を有し、
前記第１の領域は、第２の領域を除いて前記画素部を囲むように設けられ、
前記第２の領域には、前記引き回し配線が設けられていることを特徴とする発光装置。
【請求項２】
画素部と、前記画素部に信号を供給する機能を有する引き回し配線と、を有し、
前記画素部は、
半導体層と、
前記半導体層上のゲート絶縁膜と、
前記ゲート絶縁膜上のゲート電極と、
前記ゲート電極上の第１の絶縁膜と、
前記第１の絶縁膜上に設けられ、前記半導体層と電気的に接続された第１の導電層と、
前記第１の導電層と電気的に接続された発光素子と、
前記発光素子が有する第２の導電層の端部を覆う領域を有する第２の絶縁膜と、を有し、
前記第２の導電層は、前記第１の導電層と電気的に接続され、
前記発光素子は、前記第２の導電層上の発光層と、前記発光層上の第３の導電層と、を有し、
前記第３の導電層は、前記画素部の外側において、前記第２の絶縁膜の端部を覆う領域を有し、
前記第１の導電層と同一層上に設けられ、且つ同一材料を有する第４の導電層を有し、
前記画素部の外側であって、且つ前記第２の絶縁膜のない領域において、前記第３の導電層は、前記第４の導電層と重なる第１の領域を有し、
前記第１の領域は、第２の領域を除いて前記画素部を囲むように設けられ、且つ、平面視において第１乃至第４の曲がっている部分を有し、
前記第２の領域には、前記引き回し配線が設けられていることを特徴とする発光装置。
【請求項３】
画素部と、駆動回路部と、前記画素部に信号を供給する機能を有する引き回し配線と、を有し、
前記画素部は、
半導体層と、
前記半導体層上のゲート絶縁膜と、
前記ゲート絶縁膜上のゲート電極と、
前記ゲート電極上の第１の絶縁膜と、
前記第１の絶縁膜上に設けられ、前記半導体層と電気的に接続された第１の導電層と、
前記第１の導電層と電気的に接続された発光素子と、
前記発光素子が有する第２の導電層の端部を覆う領域を有する第２の絶縁膜と、を有し、
前記第２の導電層は、前記第１の導電層と電気的に接続され、
前記発光素子は、前記第２の導電層上の発光層と、前記発光層上の第３の導電層と、を有し、
前記第３の導電層は、前記画素部及び前記駆動回路部の外側において、前記第２の絶縁膜の端部を覆う領域を有し、
前記第１の導電層と同一層上に設けられ、且つ同一材料を有する第４の導電層を有し、
前記画素部及び前記駆動回路部の外側であって、且つ前記第２の絶縁膜のない領域において、前記第３の導電層は、前記第４の導電層と重なる第１の領域を有し、
前記第１の領域は、第２の領域を除いて前記画素部及び前記駆動回路部を囲むように設けられ、
前記第２の領域には、前記引き回し配線が設けられていることを特徴とする発光装置。
【請求項４】
画素部と、駆動回路部と、前記画素部に信号を供給する機能を有する引き回し配線と、を有し、
前記画素部は、
半導体層と、
前記半導体層上のゲート絶縁膜と、
前記ゲート絶縁膜上のゲート電極と、
前記ゲート電極上の第１の絶縁膜と、
前記第１の絶縁膜上に設けられ、前記半導体層と電気的に接続された第１の導電層と、
前記第１の導電層と電気的に接続された発光素子と、
前記発光素子が有する第２の導電層の端部を覆う領域を有する第２の絶縁膜と、を有し、
前記第２の導電層は、前記第１の導電層と電気的に接続され、
前記発光素子は、前記第２の導電層上の発光層と、前記発光層上の第３の導電層と、を有し、
前記第３の導電層は、前記画素部及び前記駆動回路部の外側において、前記第２の絶縁膜の端部を覆う領域を有し、
前記第１の導電層と同一層上に設けられ、且つ同一材料を有する第４の導電層を有し、
前記画素部及び前記駆動回路部の外側であって、且つ前記第２の絶縁膜のない領域において、前記第３の導電層は、前記第４の導電層と重なる第１の領域を有し、
前記第１の領域は、第２の領域を除いて前記画素部及び前記駆動回路部を囲むように設けられ、且つ、平面視において第１乃至第４の曲がっている部分を有し、
前記第２の領域には、前記引き回し配線が設けられていることを特徴とする発光装置。
【請求項５】
画素部と、前記画素部に信号を供給する機能を有する引き回し配線と、を有し、
前記画素部は、
半導体層と、
前記半導体層上のゲート絶縁膜と、
前記ゲート絶縁膜上のゲート電極と、
前記ゲート電極上の第１の絶縁膜と、
前記第１の絶縁膜上に設けられ、前記半導体層と電気的に接続された第１の導電層と、
前記第１の導電層上の第２の絶縁膜と、
前記第２の絶縁膜上に設けられ、前記第１の導電層と電気的に接続された発光素子と、
前記第２の絶縁膜上に設けられ、前記発光素子が有する第２の導電層の端部を覆う領域を有する第３の絶縁膜と、を有し、
前記第２の導電層は、前記第１の導電層と電気的に接続され、
前記発光素子は、前記第２の導電層上の発光層と、前記発光層上の第３の導電層と、を有し、
前記第３の導電層は、前記画素部の外側において、前記第２の絶縁膜の端部を覆う領域と、前記第３の絶縁膜の端部を覆う領域とを有し、
前記第１の導電層と同一層上に設けられ、且つ同一材料を有する第４の導電層を有し、
前記画素部の外側であって、且つ前記第２の絶縁膜及び前記第３の絶縁膜のない領域において、前記第３の導電層は、前記第４の導電層と重なる第１の領域を有し、
前記第１の領域は、第２の領域を除いて前記画素部を囲むように設けられ、
前記第２の領域には、前記引き回し配線が設けられていることを特徴とする発光装置。
【請求項６】
画素部と、駆動回路部と、前記画素部に信号を供給する機能を有する引き回し配線と、を有し、
前記画素部は、
半導体層と、
前記半導体層上のゲート絶縁膜と、
前記ゲート絶縁膜上のゲート電極と、
前記ゲート電極上の第１の絶縁膜と、
前記第１の絶縁膜上に設けられ、前記半導体層と電気的に接続された第１の導電層と、
前記第１の導電層上の第２の絶縁膜と、
前記第２の絶縁膜上に設けられ、前記第１の導電層と電気的に接続された発光素子と、
前記第２の絶縁膜上に設けられ、前記発光素子が有する第２の導電層の端部を覆う領域を有する第３の絶縁膜と、を有し、
前記第２の導電層は、前記第１の導電層と電気的に接続され、
前記発光素子は、前記第２の導電層上の発光層と、前記発光層上の第３の導電層と、を有し、
前記第３の導電層は、前記画素部及び前記駆動回路部の外側において、前記第２の絶縁膜の端部を覆う領域と、前記第３の絶縁膜の端部を覆う領域とを有し、
前記第１の導電層と同一層上に設けられ、且つ同一材料を有する第４の導電層を有し、
前記画素部及び前記駆動回路部の外側であって、且つ前記第２の絶縁膜及び前記第３の絶縁膜のない領域において、前記第３の導電層は、前記第４の導電層と重なる第１の領域を有し、
前記第１の領域は、第２の領域を除いて前記画素部及び前記駆動回路部を囲むように設けられ、且つ、平面視において第１乃至第４の曲がっている部分を有し、
前記第２の領域には、前記引き回し配線が設けられていることを特徴とする発光装置。